(57)【特許請求の範囲】
【請求項１】
複数の接続口を備えた接続部が設けられた筐体、及びこの筐体内に設けられエアーを生成するエアー生成手段を有して、このエアー生成手段で生成されたエアーを前記それぞれの接続口を介して分配するエアー供給部と、前記接続口と所定の関係で対応する複数の被接続口を備えた被接続部を有するとともに、前記被接続口に一端側を接続した送気管の他端側に接続されエアーの給排気によって膨縮する複数の袋体を備えたマッサージ機本体部と、前記接続部の複数の接続口のそれぞれに対応させた第一の接合口を備えた第一のコネクター、前記被接続部の複数の被接続口のそれぞれに対応した第二の接合口を有する第二のコネクター、及び前記第一の接合口と第二の接合口とを接続する複数のエアーホースからなる接続ホースと、前記各袋体にエアーの給排気をするよう前記エアー供給部を制御する制御手段とを備え、前記エアー供給部からのエアーの給排気により袋体を膨縮させて被施療部のマッサージをするエアーマッサージ機において、
前記エアー供給部の接続部の接続口とこの接続口に接続される第一のコネクターの第一の接合口とを環状に配列し、前記マッサージ機本体部の前記被接続部の被接続口とこの被接続口に接続される前記第二のコネクターの第二の接合口を直線状に一列に配列し、前記接続ホースを束状とするとともに、この接続ホースの第二のコネクターからの導出方向を前記第二の接合口の軸線と略直交させて前記第二のコネクターに前記接続ホースを取り付け、前記第一のコネクターと第二のコネクターとを裏返しにして前記接続部と被接続部とに接続した際に、前記接続口とこの接続口に対応する被接続口との所定の対応関係が変わらない関係として第一の接合口と第二の接合口とをエアーホースで接続したことを特徴とするエアーマッサージ機。
【請求項２】
前記接続ホースの各エアーホースが二段に重ね合わされて束状をなしていることを特徴とする請求項１に記載のエアーマッサージ機。
【発明の詳細な説明】
【０００１】
【発明の属する技術分野】
この発明は、マッサージ機本体部にエアー供給部からのエアーの給排気によって膨縮する袋体を設け、この袋体を膨縮させて被施療部のマッサージを行うエアーマッサージ機に関する。
【０００２】
【従来の技術】
マッサージ機本体部にエアー供給部からのエアーの給排気によって膨縮する袋体を設け、この袋体を膨縮させて被施療部のマッサージを行うエアーマッサージ機としては、例えばマット式エアーマッサージ機、あるいは座椅子式エアーマッサージ機等がある。以下エアーマッサージ機の従来例をマット式エアーマッサージ機とした場合について説明すると、従来のマット式エアーマッサージ機は、筐体とこの筐体内に設けられたエアー生成手段および分配器等からなるエアー供給部とマット部とから構成されており、そして、マット部に身体の各部位例えば首部、肩部、背中部、腰部、尻部および脚部に対応させて、エアーの給排気により膨縮する各袋体を配設し、これら各袋体に前記エアー供給部からエアーを給排気して袋体を膨縮させて被施療部をマッサージするものである。そして、前記マット部とエアー供給部とを可撓性を有する複数のエアーホース（以下単にホースという）からなる接続ホースによって接続し、この接続ホースを介して前記袋体へのエアーの給排気をしているものである。
【０００３】
また、従来のマット式エアーマッサージ機は、エアー供給部に設けられたエアーコンプレッサー等からなる前記エアー生成手段で生成されたエアーを分配器によって各袋体に所定の順序で所定時間給排気するようになっているものであり、この分配器としては一般にロータリー弁等が使用され、このロータリー弁の複数の分配口と連通しエアーの給排気をなす複数の接続口を有する接続部を前記筐体の側壁等に設け、この接続部に前記接続ホースの一方側に接続されたコネクターを接続するようになっている。
【０００４】
また、分配器としてロータリー弁を用いる場合は、前記接続口は一般に環状つまり略円形状あるいは二段に配列した略方形状配列にして設けられているものであり、このようにエアー供給部に設けられた接続部の接続口が環状に配列されることと相俟って、前記マット部の外縁部に設けられ、前記接続ホースの他方側に設けられたコネクターが接続される被接続部の被接続口も一般に環状に配列されている。このため、被接続部の厚み寸法が大きくなり、この被接続部が取り付けられた前記マット部の厚みが大きくなったりあるいは部分的に被接続部が設けられた部分が盛り上がってしまい邪魔になり、また、マット部を薄くできないという問題がある。
【０００５】
また、エアー供給部の接続部に設けた複数の接続口とマット部の被接続部に設けた前記被接続口とは、所定の順序でエアーを供給しなければならないため所定の対応関係に設定されている。したがって、前記接続ホースの両端に接続された前記両コネクターと接続部および被接続部との接続には、方向性を持たせていることから、両コネクターを正常（表）でないつまり裏返して接続することはできないようになっているため接続の都度方向性を確認しなければならないという煩わしさがある。このことは、マット部の被接続部に接続されるコネクターをＬ字状に形成し、被接続部への接続方向つまり接続される接続管の軸線と接続ホースのコネクターからの導出方向とが直交するように接続ホースがコネクターに接続されている場合は、マット部に対するエアー供給部の配置はコネクターから接続ホースが引き出されている方向にしかエアー供給部を置くことができない（もし逆に配置すると接続ホースが捩じれた状態として接続され、場合によっては正常なエアーのがなされなくなる）ため部屋の状況によっては使い勝手が悪くなるという問題がある。
【０００６】
また、マット部の厚みを小さくする方法としては、エアー供給部の接続部の接続口およびマット部の被接続部の被接続口を直線状に一列に配列する構成とするとともに、接続ホースの各ホースも直線状に一列とすることも考えられるが、このように接続ホースの各ホースを直線状に一列に配列して偏平状にすると、接続ホースは可撓性を有していることから容易に折り曲げられるため使用状態において何等かの事情により接続ホースが折り曲げられると、正常なエアーの給排気が阻害され良好なマッサージがなされなくなり、また、使用中に誤って接続ホースの上に何か重い物が載せられるとホースが潰れてしまい、同様に正常なエアーの給排気が阻害されることから良好なマッサージがなされなくなるという問題がある。また、接続ホースは容易に折れ曲がることから屈曲が繰り返されると接続ホースつまり各ホースに亀裂が生じる等接続ホースが損傷するという問題がある。
【０００７】
このことは座椅子式エアーマッサージ機の座部に配設するとともに、座部の外縁部に接続ホースのコネクターを接続する被接続部を設ける構成とした場合にも同様に生じる問題である。
【０００８】
【発明が解決しようとする課題】
上述のように従来のマット式エアーマッサージ機等は、前記マット部等の外縁部に設けられた接続ホースのコネクターが接続される被接続部の被接続口の厚み寸法が大きくなり、この被接続部を取り付けた前記マット部の厚みが大きくなったりあるいは部分的に盛り上がってしまうことから邪魔になり、また、マット部を薄くできないという問題がある。また、接続ホースに取り付けられるコネクターのエアー供給部の接続部への接続は方向性を有することから、接続の際その都度接続方向を確認しなければならないという煩わしさがあり、また、コネクターの形状によってはエアー供給部とマット部との配置関係が制限され使い勝手が悪いという問題がある。
【０００９】
また、マット部の厚みを小さくするため、エアー供給部の接続部の接続口およびマット部の被接続部の被接続口を直線状に一列に配列する構成とし、また、接続ホースの各ホースを直線状に一列に配列して偏平とすると、接続ホースが使用状態において何等かの事情により折り曲げられてしまうと、正常なエアーの給排気が阻害され良好なマッサージがなされなくなる。また、使用中に接続ホースの上に誤って何か重い物が載せられるとホースが潰れ、同様に正常なエアーの給排気が阻害され良好なマッサージがなされなくなるという問題があり、また、接続ホースの折り曲げが繰り返されると接続ホースに亀裂が入る等して接続ホースが損傷するという問題がある。
【００１５】
【課題を解決するための手段】
この発明は上記事情に鑑みなされたものであり、請求項１記載の発明は、複数の接続口を備えた接続部が設けられた筐体、及びこの筐体内に設けられエアーを生成するエアー生成手段を有して、このエアー生成手段で生成されたエアーを前記それぞれの接続口を介して分配するエアー供給部と、前記接続口と所定の関係で対応する複数の被接続口を備えた被接続部を有するとともに、前記被接続口に一端側を接続した送気管の他端側に接続されエアーの給排気によって膨縮する複数の袋体を備えたマッサージ機本体部と、前記接続部の複数の接続口のそれぞれに対応させた第一の接合口を備えた第一のコネクター、前記被接続部の複数の被接続口のそれぞれに対応した第二の接合口を有する第二のコネクター、及び前記第一の接合口と第二の接合口とを接続する複数のエアーホースからなる接続ホースと、前記各袋体にエアーの給排気をするよう前記エアー供給部を制御する制御手段とを備え、前記エアー供給部からのエアーの給排気により袋体を膨縮させて被施療部のマッサージをするエアーマッサージ機において、前記エアー供給部の接続部の接続口とこの接続口に接続される第一のコネクターの第一の接合口とを環状に配列し、前記マッサージ機本体部の前記被接続部の被接続口とこの被接続口に接続される前記第二のコネクターの第二の接合口を直線状に一列に配列し、前記接続ホースを束状とするとともに、この接続ホースの第二のコネクターからの導出方向を前記第二の接合口の軸線と略直交させて前記第二のコネクターに前記接続ホースを取り付け、前記第一のコネクターと第二のコネクターとを裏返しにして前記接続部と被接続部とに接続した際に、前記接続口とこの接続口に対応する被接続口との所定の対応関係が変わらない関係として第一の接合口と第二の接合口とをエアーホースで接続したエアーマッサージ機としたものである。
【００１６】
このように請求項１記載の発明は、エアー供給部の接続部の接続口とこの接続口に接続される第一のコネクターの第一の接合口とを環状に配列し、前記マッサージ機本体部の前記被接続部の被接続口とこの被接続口に接続される前記第二のコネクターの第二の接合口を直線状に一列に配列し、前記接続ホースを束状とするとともにこの接続ホースの第二のコネクターからの導出方向を前記第二の接合口の軸線とを略直交させて接続するとともに、前記第一のコネクターと第二のコネクターとを裏返しにして前記第一の接続部と第二の接続部とに接続した際に、前記接続口とこの接続口に対応する被接続口との所定の対応関係が変わらない関係として第一の接合口と第二の接合口とをエアーホースで接続する構成としたことから、第二のコネクターの厚みが小さくなり、マッサージ機本体部に設けた被接続部の厚み寸法を小さくでき、また、接続ホースの各エアーホースが束状となっていることから、折り曲げおよび押し潰しに対する強度を高めることができるという作用を有するものである。また、接続ホースの第一のコネクターおよび第二のコネクターと接続部および被接続部との接続に方向性をなくすことができるとともに、第一の接合口の軸線と接続ホースの第二のコネクターからの導出方向を略直交させていることから、マッサージ機本体部に対するエアー供給部の配置の制限をなくすことができるという作用を有するものである。
【００１７】
このことによって、使用中に何等かの事情による折り曲げ力が加わったりあるいは押し潰し力が加わったとしても容易に折れ曲がることがなく、また、押し潰されることがなく正常なエアーの給排気が阻害されることはないものである。また、屈曲による亀裂等による接続ホースの損傷を防止できるものである。また、マッサージ機本体部に対するエアー供給部の配置の制限をなくすことができることから、使い勝手を向上させることができるものである。
また、本発明においては、請求項２のように、前記接続ホースの各エアーホースが二段に重ね合わされて束状をなしているとよい。
【００１８】
【発明の実施の形態】
つぎに、この発明をマット式エアーマッサージ機に適用した場合の実施の形態を図１ないし図６に基づいて説明する。図１および図３に示すように、マット式マッサージ機（以下単にマッサージ機という）１は、筐体１０ａとこの筐体１０ａ内に設けられたエアーコンプレッサーからなるエアー生成手段４１（図１および図３では不図示）およびロータリー弁からなる分配手段４２（図１および図３では不図示）等によって構成されたエアー供給部１０、被施療部としての身体の各部位つまり首部、肩部、背中部、腰部、尻部、脚のふくらはぎ部にそれぞれ対応させてエアーの給排気により膨縮する首部用袋体２１、肩部用袋体２２、背中用袋体２３、腰用袋体２４、尻用袋体２５、脚用袋体２６が配設されたマッサージ機本体部としてのマット部２０および接続ホース３０等とから構成されている。
【００１９】
そして、前記エアー供給部１０の前記筐体１０ａの側面には、凹状に形成した接続部１７が形成されており、この接続部１７には、６個の接続口１１ａ、１２ａ、１３ａ、１４ａ、１５ａ、１６ａが設けられており、これら６個の接続口１１ａ、１２ａ、１３ａ、１４ａ、１５ａ、１６ａは、前記エアー生成手段４１で生成されたエアーを分配する前記分配手段４２に設けられた６個の分配口４２ａないし４２ｆ（図６参照）にそれぞれ対応させて連通しているものである。また、前記６個の接続口１１ａ、１２ａ、１３ａ、１４ａ、１５ａ、１６ａは図１、図３に示すように接続口１１ａ、１２ａ、１３ａは上段に左からこの順序で、また、接続口１６ａ、１５ａ、１４ａは下段に左からこの順序で配列して設けることにより、１１ａ−１２ａ−１３ａ−１４ａ−１５ａ−１６ａ−１１ａの方形状つまり環状に配列されているものである。
【００２０】
また、前記マット部２０の長手方向の一端側の外縁部２０ａには、被接続部２７が設けられており、この被接続部２７には水平方向に直線状に一列に配列して設けられた、被接続口２１ｂないし２６ｂが設けられ、この被接続口２１ｂないし２６ｂは図１および図３に示すように、左から２１ｂ、２６ｂ、２２ｂ、２５ｂ、２３ｂ、２４ｂの順に配列して設けられている。
【００２１】
また、前記被接続口２１ｂないし２６ｂと前記首部用袋体２１、肩部用袋体２２、背中用袋体２３、腰用袋体２４、尻用袋体２５および脚用袋体２６とは図１、図３に示すように送気管としてのホース２１ａないし２６ａによって接続されている。
【００２２】
また、前記被接続口２１ｂないし２６ｂと前記エアー供給部１０の接続部１７に設けられた接続口１１ａないし１６ａとは予め定められた対応関係つまり所定の対応関係として後述する接続ホース３０の各ホース３１ないし３６によって接続される。つまりこの実施の形態においては、図３に示すように接続口１１ａは、後述する接続管３１ａ、ホース３１、接続管３１ｂを介して被接続口２１ｂと接続される。同様に、接続口１２ａは、接続管３２ａ、ホース３２、接続管３２ｂを介して被接続口２２ｂと接続される。接続口１３ａは、接続管３３ａ、ホース３３、接続管３３ｂを介して被接続口２３ｂと接続される。接続口１４ａは、接続管３４ａ、ホース３４、接続管３４ｂを介して被接続口２４ｂと接続される。接続口１５ａは、接続管３５ａ、ホース３５、接続管３５ｂを介して被接続口２５ｂと接続される。接続口１６ａは、接続管３６ａ、ホース３６、接続管３６ｂを介して被接続口２６ｂと接続される。このようにそれぞれ対応させた接続によって、前記被接続口２１ｂ、エアーホース２１ａを介して前記首部用袋体２１に給排気されるエアーは前記接続口１１ａを通してなされる。同様に前記被接続口２２ｂ、エアーホース２２ａを介して前記肩用袋体２２に給排気されるエアーは前記接続口１２ａを通してなされる。前記被接続口２３ｂ、エアーホース２３ａを介して前記背中用袋体２３に給排気されるエアーは前記接続口１３ａを通してなされる。前記被接続口２４ｂ、エアーホース２４ａを介して前記腰用袋体２４に給排気されるエアーは前記接続口１４ａを通してなされる。前記被接続口２５ｂ、エアーホース２５ａを介して前記尻用袋体２５に給排気されるエアーは前記接続口１５ａを通してなされる。前記被接続口２６ｂ、エアーホース２６ａを介して前記脚用袋体２６に給排気されるエアーは前記接続口１６ａを通してなされるものである。
【００２３】
つぎに、前記接続ホース３０について説明する。この接続ホース３０は図２等に示すように、可撓性を有する複数（この実施の形態では６本）のエアーホース（以下単にホースという）３１ないし３６からなるホース群とこのホース群の一端側に接続され、前記エアー供給部１０の接続部１７に着脱可能な第一のコネクター３７と他端側に接続され前記マット部２０に設けた前記被接続部２７に着脱可能に接続される第二のコネクター３８とから構成されている。
【００２４】
そして、前記第一のコネクター３７は図１、図３に示すように前記エアー供給部１０の接続部１７の上段に設けた接続口１１ａないし１３ａおよび下段に設けられた接続口１４ａないし１６ａにそれぞれ対応するように上下二段につまり上段には接続口１１ａないし１３ａに気密的に嵌合する第一の接合口としての接続管３１ａないし３３ａが、また、下段には接続口１４ａないし１６ａに気密的に嵌合する同様に第一の接合口としての接続管３４ａないし３６ａが設けられている。
【００２５】
また、前記第二のコネクター３８には前記被接続部２７の接続口２１ｂないし２６ｂに気密的に嵌合する第二の接合口としての接続管３１ｂないし３６ｂが設けられており、この接続管３１ｂないし３６ｂは図１、図３に示すように左側から３１ｂ、３６ｂ、３２ｂ、３５ｂ、３３ｂ、３４ｂの順序に直線状に一列に配列されて設けられている。つまり、第二のコネクター３８の接続管３１ｂないし３６ｂの前記配列と第一のコネクターの接続管３１ａないし３６ａの配列関係は、第一のコネクター３７の下段（図３では上段となっている）に位置する接合口３６ａを上段に位置する接合口３１ａと３２ａの間に、また下段に位置する接合口３５ａを上段に位置する接合口３２ａと３３ａの間に、そして、下段に位置する接合口３４ａを上段に位置する接合口３４ａの図３において右側に位置させる配列として直線状に一列に配列した場合に相当させているものである。
【００２６】
そして、前記ホース３１の一方の端部は接続管３１ａに他方の端部は接続管３１ｂに、同様にホース３２の一方の端部は接続管３２ａに他方の端部は接続管３２ｂに、ホース３３の一方の端部は接続管３３ａに他方の端部は接続管３３ｂに、ホース３４の一方の端部は接続管３４ａに他方の端部は接続管３４ｂに、ホース３５の一方の端部は接続管３５ａに他方の端部は接続管３５ｂに、ホース３６の一方の端部は接続管３６ａに他方の端部は接続管３６ｂにそれぞれ接続されている。
【００２７】
そして、第二のコネクター３８の接続管３１ｂないし３６ｂの前記配列と第一のコネクター３７の接続管３１ａないし３６ａの配列関係は、上述のように、第一のコネクター３７の下段に位置する接合口３６ａを上段に位置する接合口３１ａと３２ａの間に、また下段に位置する接合口３５ａを上段に位置する接合口３２ａと３３ａの間に、そして、下段に位置する接合口３４ａを上段に位置する接合口３４ａの図３において右側に位置させる配列として直線状に一列に配列した場合に相当させた関係としてある。このことにより、図５に示すように前記マット部２０に対してエアー供給部１０を図１に示した場合と反対側に位置させて配置して使用すると、前記接続ホース３０は裏返しとなり第一のコネクター３７および第二のコネクター３８も裏返された状態で、前記エアー供給部の接続部１７およびマット部の被接続部２７に接続される。この場合でも、正常つまり表側ではなく裏返しとされない状態で接続された場合と同様に、接続口１１ａは、接続管３４ａ、ホース３４、接続管３４ｂ、被接続口２１ｂ、ホース２１ａを介して首部用袋体２１に接続され、接続口１２ａは、接続管３５ａ、ホース３５、接続管３５ｂ、被接続口２２ｂ、ホース２２ａを介して肩用袋体２２に接続され、接続口１３ａは、接続管３６ａ、ホース３６、接続管３６ｂ、被接続口２３ｂ、ホース２３ａを介して背中用袋体２３に接続され、接続口１４ａは、接続管３１ａ、ホース３１、接続管３１ｂ、被接続口２４ｂ、ホース２４ａを介して腰用袋体２４に接続され、接続口１５ａは、接続管３２ａ、ホース３２、接続管３２ｂ、被接続口２５ｂ、ホース２５ａを介して尻用袋体２５に接続され、接続口１６ａは、接続管３３ａ、ホース３３、接続管３３ｂ、被接続口２６ｂ、ホース２６ａを介して脚用袋体２６に接続されるものである。
【００２８】
つまり、マット部２０に対するエアー供給部１０の配置位置が変わって接続ホース３０の第一のコネクター３７および第二のコネクター３８が、正常（表）状態とこの正常状態と反対つまり裏返し状態で接続されても、前記接続部１７の接続口１１ａないし１６ａと被接続部３７の被接続口２１ｂないし２６ｂの対応関係は所定の対応関係に維持されるものであり、したがって、後述する制御手段４４によって制御される前記分配手段４２からのエアーの給排気は、同一の制御において所定の順序で所定の袋体になされるものである。
【００２９】
また、前記第一のコネクター３７は、図２（Ｂ）に示すように盤状の基板３７ａとカバー３７ｂとから構成され、前記基板３７ａには二段に配列されて前記接続管３１ａないし３６ａ（図２（Ｂ）では３２ａと３５ａのみ図示）が一体に形成され、これら接続管３１ａないし３６ａは図３に示す位置関係となっている。
【００３０】
また、接続管３１ａないし３６ａの両端はそれぞれ基板３７ａから外側および内側に突出して形成され、外側に突出した部分は前記エアー供給部１０の接続部１７の接続口１１ｂないし１６ｂに嵌合する部分となっており、また、内側に突出した部分にはホース３１ないし３６の一端部を嵌合して取り付けるようになっている。そして、ホース３１ないし３６が取り付けられた状態ではホース３１ないし３６は二段に重ね合わされるつまり束ねられることになる。また、前記基板３７ａには先端部に係合爪３７ｃが設けられ弾性変形する複数（図２では１個のみ図示）の係合片３７ｄが設けられている。また、前記カバー３７ｂを両端に開口した略偏平筒状に形成され、一端側の開口は前記基板３７ａによって閉蓋され、他端側の開口は前記接続管３１ａないし３６ａに取り付けられたホース３１ないし３６を二段に束ねて導出させる大きさに形成されている。
【００３１】
また、前記カバー３７ｂの内壁には前記係合爪３７ｃに係合する複数（図２では１個のみ図示）の係合凹部３７ｅが形成されている。そして、ホース３１ないし３６の第二のコネクター３７への取り付けはつぎのようにしてなされる。まず、カバー３７ｂに前記他端側の開口からホース３１ないし３６の先端部を挿入して一端側の開口から引き出し、ついで引き出されたホース３１ないし３６の端部を接続管３１ａないし３６ａに嵌合して取り付けた後、カバー３７ｂを前記基板３７ａ方向に移動させて、カバー３７ｂに形成された係合凹部３７ｅに基板３７ａの係合片３７ｄの係合爪３７ｃに係合させることによってなされる。
【００３２】
そして、カバー３７ｂの係合凹部３７ｅと基板３７ａの係合片３７ｄの係合爪３７ｃとを係合させることによって基板３７ａとカバー３７ｂは一体化されて組み立てられるものであり、また、前記第一のコネクター３７にホース３１ないし３６が取り付けられた状態では、これらホース３１ないし３６は前記カバー３７ｂの他端側の開口によって二段に重ね合わされてつまり束ねられた状態で導出されものである。
【００３３】
また、前記第二のコネクター３８は、図２に示すように盤状の基板３８ａとカバー３８ｂとから構成され、前記基板３８ａに直線状に一列に配列して前記接続管３１ｂないし３６ｂが、同図の左側から３４ｂ、３３ｂ、３５ｂ、３２ｂ、３６ｂ、３１ｂの順に配列して取り付けられており、また、接続管３１ｂないし３６ｂの両端はそれぞれ基板３８ａから外側および内側に突出して形成され、外側に突出した部分は前記マット部の被接続部２７の被接続口２１ｂないし２６ｂに嵌合する部分となっており、また、内側に突出した部分には束状に束ねられたホース３１ないし３６の他端部を嵌合して取り付けるようになっている。そして、ホース３１ないし３６は一列に配列され前記接続管３１ｂないし３６ｂに取り付けられて一列に配列されている。
【００３４】
また、前記カバー３８ｂは図２に示すように略Ｌ字状に形成されるとともに、前記基板８３ａの長手方向に中心線で分割された上カバー３８ｃと下カバー３８ｄを前記分割面で合わせて複数のねじ３９（図では１本のみ図示）で結合することにより形成されるようになっており、また、上カバー３８ｃおよび下カバー３８ｄには両者を結合した際に、前記接続管３１ｂないし３６ｂを外側に突出させるように切欠３８ｅが形成されている。また、カバー３８ｂは上カバー３８ｃと下カバー３８ｄを結合した際に前記接続ホース３０の各ホースが二段に重ね合わされて導出されるように導出口３８ｆが形成されるようになっている。
【００３５】
そして、前記基板３８ａに取り付けられた接続管３１ｂないし３６ｂにホース３１ないし３６をの端部を嵌合した後、前記基板３８ａを前記上カバー３８ｃと下カバー３８ｄの前記切欠３８ｅ、３８ｅから接続管３１ｂないし３６ｂを突出させた状態に位置決めしてねじ３９によって結合する。この状態では前記ホース３１ないし３６は前記導出口３８ｆから二段に重ね合わされて束状として導出され、また、端部つまり接続管３１ｂないし３６ｂの嵌合部およびこの近傍部は一列に配列され、第二のコネクターは厚みを小さくした偏平に形成されている。
【００３６】
また、第二のコネクター３８をＬ字状に形成して、接続ホース３０の接続方向つまり第二のコネクター３８からの導出方向と前記接続管３１ｂないし３６ｂの軸線とは略直交状態としたことから、図１に示すようにマット部２０の被接続部２７に第二のコネクター３８を接続した状態では、接続ホース３０は外縁部２０ａに沿って配置される。また、エアー供給部１０のマット部２０に対する配置を図４に示すように図１に示した配置とは反対側に配置した際は、第二のコネクター３８を裏返しにして被接続部２７に接続することによって同様に接続ホースを外縁部２０ａに沿わせることができ、接続ホース３０がマット部２０から離れて配置されることがなく使用中に接続ホース３０が邪魔になることはないものである。そして、このようにエアー供給部１０の配置をマット部２０の両側に配置させるようにした場合は、前記第一のコネクター３７および第二のコネクター３８は、エアー供給部１０の接続部１７およびマット部２０の被接続部２７は正常状態とこの正常（表）状態とは反対つまり裏返して接続されるが、このように裏返して接続されても上述したように接続口１１ａないし１６ａと被接続口２１ｂないし２６ｂの対応関係が維持されるものである。
【００３７】
また、上述のように第二のコネクター３８は厚みを薄くして偏平な形状に形成していることから、マット部２０に設ける被接続部１７も厚みを小さくできるため、マット部２０の外縁部が部分的に盛り上がることがなく、また、マット部の厚みを薄くできるものである。
【００３８】
また、ホース３１ないし３６のそれぞれの端部に第一のコネクター３７および第二のコネクター３８が取り付けられた状態では、第一のコネクター３７と第二のコネクター３８との間に位置するホース３１ないし３６は二段に重ね合わされて束ねられていることから、例えば使用中に誤って接続ホース３０の上に重い物が置かれたとしても、この荷重はホース同士によって吸収されることから容易に潰れることはなく、また、使用中に何等かの事情による折り曲げ力が加わったとしても接続ホース３０は束状となっていることから容易に折れ曲がることがなく、正常なエアーの給排気が阻害されることはないものである。また、屈曲による亀裂等による接続ホース３０の損傷を防止できるものである。
【００３９】
なお、束ねられたホース３１ないし３６をこの束ねた状態を確実に維持するために可撓性を有する薄い材料で形成したチューブに挿入するようにしてもよい。
【００４０】
つぎに、このマッサージ機１の制御を図６に示す制御ブロック図に基づいて説明する。図６に示すようにエアー供給部１０の筐体１０ａ内に設けられたエアー生成手段４１と分配手段４２とはエアーホース４３によって接続され、また、分配手段４２には分配口４２ａないし４２ｆが設けられ、この分配口４２ａないし４２ｆは図示しないエアーホースによって前記接続部１７の接続口１１ａないし１６ａ（図６では不図示）に接続されている。また、前記分配手段４２は前記エアー供給部１０の接続部１７、この接続部１７に接続された接続ホース３０の第一のコネクター３７、接続ホース３０のホース３１ないし３６、第二のコネクター３８、この第二のコネクター３８が接続されたマット部２０の被接続部２７を介して前記首部用袋体２１ないし脚用袋体２６にエアーの給排気がされるようになっている。
【００４１】
また、前記エアー生成手段４１および分配手段４２はマイクロコンピューターからなる制御手段４４によって制御されるようになっており、また、制御手段４４には各種マッサージモードを記憶するマッサージモード記憶手段４６が接続されている。また、制御手段４４には前記筐体１０ａに設けた図示しない各種マッサージを設定する設定釦、始動スイッチ釦、マッサージ時間を設定する時間設定釦等からなる入力手段４５が接続されている。
【００４２】
そして、使用者が入力手段４５から所望のマッサージモードが設定されると、制御手段４４は設定されたマッサージモードをマッサージモード記憶手段４６から読み出しこのマッサージモードを実行する。つまり、制御手段４４は設定されたマッサージモードによって定められた順序にしたがって前記首部袋体２１ないし脚部袋体２６へのエアーの給排気をするようにエアー生成手段４１と分配手段４２を制御するものである。このエアーの給排気によって首部袋体２１ないし脚部袋体２６が膨縮し、この膨縮によって被施療部のマッサージがなされるものである。
【００４３】
つぎに、このエアーマッサージ機１の動作について説明する。
【００４４】
使用に当たって、エアー供給部１０の接続部１７およびマット部２０の被接続部２７に、接続ホース３０の第一のコネクター３７および第二のコネクター３８を接続する。ついで、マットに横たわった後前記入力手段４５から所望のマッサージモードを設定して始動スイッチ釦を操作する。そして始動スイッチ釦が操作されると制御手段４４は設定されたマッサージモードをマッサージモード記憶手段４６から読み出して実行し、ことによってマッサージがされるものである。
【００４５】
そして、前記エアー供給部１０とマット部２０の接続に当たっては、部屋の家具の配置等によりマット部２０に対するエアー供給部１０の配置位置を定めて接続ホース３０を接続するが、この際マット部２０に対してつまりマット部２０の左右いずれに配置するかによって、第一のコネクター３７および第二のコネクター３８は正常つまり表あるいは裏返して接続されことになるが、接続ホース３０は表あるいは裏返して接続されたとしても、接続部１７の接続口１１ａないし１６ａと被接続部の被接続口２１ｂないし２６ｂの対応関係が所定の関係を維持できるように、接続ホース３０の第一のコネクター３７の接続管３１ａないし３６ａと第二のコネクター３８の接続管３１ｂないし３６ｂはホース３１ないし３６で接続されていることから、接続ホース３０を表あるいは裏返して接続することができ、このように表あるいは裏返して接続されたとしても分配手段４２の制御は同一制御の状態で首部用袋体２１ないし脚用袋体２６に所定の順序でエアーの給排気がされるものでる。
【００４６】
上述したように上記マッサージ１は、エアー供給部１０の接続部１７およびマット部２０の被接続部２７とにそれぞれ接続ホース３０の第一のコネクター３７接続管３１ａないし３６ａは二段つまり環状に配列するとともに第二のコネクター３８の接続管３１ｂないし３６ｂを一列に配列するとともに、接続ホース３０は各ホース３１ないし３６を重ね合わせて束状とする構成としたことから、第二のコネクター３８の厚みが小さくなり、マット部２０に設けた被接続部２７の厚み寸法を小さくできる。また、接続ホース３０の各ホース３１ないし３６が束状となっていることから、折り曲げおよび押し潰しに対する強度が高められる。このため、使用中に折り曲げおよび押し潰されて正常なエアーの給排気が阻害されることを防止できるものである。
【００４７】
また、第一のコネクター３７接続管３１ａないし３６ａを環状配列に配置したことから、分配手段４２としてロータリー弁など分配口が環状に配置された分配手段を使用したときに、この分配口とエアー供給部１０の接続部１７の接続口１１ａないし１６ａとを対応させてエアーホース３１ないし３６等で連通させる場合の構成を簡単にすることができるため有効である。これとともに、第一のコネクター３７が接続部１７に接続された状態で、接続ホース３０が上下左右に動かされて、接続管３１ａないし３６ａに外力が加わったとしても、一列に配列されている場合に比べて、強度が増すことから折損等を防止できるものである。
【００４８】
また、接続ホース３０を束状に形成しこの接続ホース３０の第二のコネクター３８からの導出方向を接続管３１ｂないし３６ｂの軸線とを略直交させて接続するとともに、前記第一のコネクター３７と第二のコネクター３８とを裏返しにして接続部１７と被接続部２７とに接続した際に、前記接続口１１ａないし１６ａとこの接続口１１ａないし１６ａに対応する被接続口２１ｂないし２６ｂとの所定の対応関係が変わらない関係として接続管３１ａないし３６ａと接続管３１ｂないし３６ｂとをホース３６で接続する構成としたことから、第二のコネクター３８の厚みが小さくなり、マット部２０に設けた被接続部２７の厚み寸法を小さくできる。また、接続ホース３０をなす各ホース３１ないし３６は束状となっていることから、折り曲げおよび押し潰しに対する強度を高めることができ、使用中に折り曲げおよび押し潰されて正常なエアーの給排気が阻害されることを防止できるものである。また、接続ホース３０の第一のコネクター３７および第二のコネクター３８と接続部１７および被接続部２７との接続に方向性をなくすことができるとともに、マット部２０に対するエアー供給部１０の配置が制限されることがないものである。
【００４９】
つまり、使用中に何等かの事情による接続ホース３０に折り曲げ力が加わったりあるいは押し潰し力が加わったとしても容易に折れ曲がることがなく、また、押し潰されることがないことから正常なエアーの給排気が阻害されることがなく、また、屈曲による亀裂等による接続ホース３０の損傷を防止できるものである。また、マット部２０に対するエアー供給部の配置が制限をなくすことができることから使い勝手を向上させることができるものである。
【００５１】
また、上記実施の形態では、前記エアー供給部１０の接続部の接続口１１ａないし１６ａおよび第一のコネクター３７の接続管３１ａないし３６ａは、環状つまり方形状としたが、これは円形状あるいは楕円形状に配列してもよいものである。
【００５２】
また、上記実施の形態では、この発明をマット式エアーマッサージ機に適用した場合について説明したが、これは例えば座椅子式エアーマッサージ機の座部等にも適用できるものである。要は偏平形状のエアーマッサージ機にはすべて適用できるものである。
【００５５】
【発明の効果】
請求項１記載の発明は、エアー供給部の接続部の接続口とこの接続口に接続される第一のコネクターの第一の接合口とを環状に配列し、前記マッサージ機本体部の前記被接続部の被接続口とこの被接続口に接続される前記第二のコネクターの第二の接合口を直線状に一列に配列し、前記接続ホースを束状とするとともにこの接続ホースを第二のコネクターからの導出方向を前記第二の接合口の軸線と略直交させて第二のコネクターに取り付け、前記第一のコネクターと第二のコネクターとを裏返しにして前記接続部と被接続部とに接続した際に、前記接続口とこの接続口に対応する被接続口との所定の対応関係が変わらない関係として第一の接合口と第二の接合口とをエアーホースで接続する構成としたことから、第二のコネクターの厚みが小さくなり、マッサージ機本体部に設けた被接続部の厚み寸法を小さくでき、また、接続ホースの各エアーホースが束状となっていることから、折り曲げおよび押し潰しに対する強度を高めることができるという効果を有するものである。また、接続ホースの第一のコネクターおよび第二のコネクターと接続部および被接続部との接続の方向性をなくすことができるとともに、第一の接合口の軸線と接続ホースの第二のコネクターからの導出方向を略直交させていることから、マッサージ機本体部に対するエアー供給部の配置の制限をなくすことができるという効果を有するものである。
【００５６】
このことによって、使用中に何等かの事情による折り曲げ力が加わったりあるいは押し潰し力が加わったとしても容易に折れ曲がることがなく、また、押し潰されることがなく正常なエアーの給排気が阻害されることはないものである。また、屈曲による亀裂等による接続ホースの損傷を防止できるものである。また、マッサージ機本体部に対するエアー供給部の配置が制限をなくすことができることから使い勝手を向上させることができるという効果を奏することができるものである。
【図面の簡単な説明】
【図１】本発明を適用したマット式エアーマッサージ機に適用した場合の実施の形態におけるマット式エアーマッサージ機の全体を示す斜視図。
【図２】上記実施の形態の接続ホースの要部を断面して示した図で、（Ａ）は平面図で、（Ｂ）はその面図である。なお、（Ｂ）の断面部は（Ａ）のＸ−Ｘ線出の断面である。
【図３】上記実施の形態のエアー供給部の接続部とマッサージ機本体部の被接続部とを接続ホースで接続する場合の接続関係を示した図（接続ホースを正常状態（表）として接続する場合）。
【図４】上記実施の形態のマッサージ機本体部に対してエアー供給部の配置を変えた状態を示したマット式エアーマッサージ機。
【図５】上記マッサージ機本体部に対してエアー供給部の配置を変えた状態における、エアー供給部の接続部とマッサージ機本体部の被接続部とを接続ホースで接続する場合の接続関係を示した図（接続ホースを裏返しとして接続する場合）。
【図６】上記実施の形態の制御ブロック図。
【符号の説明】
１                椅子式エアーマッサージ機（エアーマッサージ機）
１０              エアー供給部
１０ａ            エアー供給部の筐体
１１ａ〜１６ａ    接続口
１７              エアー供給部の接続部
２０              マット部（マッサージ機本体部）
２１ａ〜２６ａ    ホース（送気管）
２１ｂ〜２６ｂ    マット部の被接続部の接続口
２７              マット部の被接続部
３０              接続ホース
３１〜３６        ホース（エアーホース）
３１ａ〜３６ａ    第一のコネクターの接続管（第一の接合口）
３１ｂ〜３６ｂ    第二のコネクターの接続管（第二の接合口）
３７              第一のコネクター
３８              第二のコネクター
４１              エアー生成手段
４２              分配手段
４４              制御手段
【図１】
0003614616.tif 000002
【図２】
0003614616.tif 000003
【図３】
0003614616.tif 000004
【図４】
0003614616.tif 000005
【図５】
0003614616.tif 000006
【図６】
0003614616.tif 000007